(57)【要約】【課題】  構成を簡易化できるとともに、プリーツ状のフィルタを用いた場合でもフィルタに担持された光触媒を効果的に活性化させることが可能な空気清浄ユニットおよびこれを備えた空気調和機を提供する。【解決手段】  空気清浄ユニット４０は、プレフィルタ４１、放電部４２、光触媒フィルタ４３およびプラズマ触媒フィルタ４４を備えている。放電部４２において、ストリーマ放電電極と対向電極との間に直流、交流、またはパルスの放電電圧が印加されると、両電極間にストリーマ放電が生じ、放電場に低温プラズマが生成する。光触媒フィルタ４３は、プリーツ状に形成されており、静電フィルタおよびチタンアパタイト担持フィルタを張り合わせて形成されている。【選択図】      図３
2006017360.tif 000002
【特許請求の範囲】
【請求項１】
空気中に浮遊する塵埃、臭気分子、ウィルスおよび菌のうち少なくとも１つを吸着するプリーツ状のエアフィルタ（４３）と、
前記塵埃等のうち少なくとも１つを分解、死滅、または不活化する活性種を生成する活性種生成部（４２）と、
を備えている空気清浄ユニット（４０）。
【請求項２】
前記エアフィルタ（４３）は、前記塵埃等のうち少なくとも１つを分解、死滅、または不活化する光触媒を担持している、
請求項１に記載の空気清浄ユニット。
【請求項３】
前記エアフィルタ（４３）は、アパタイト（４３１）を有している、
請求項１または２に記載の空気清浄ユニット（４０）。
【請求項４】
前記アパタイト（４３１）は、光触媒機能を有している、
請求項３に記載の空気清浄ユニット（４０）。
【請求項５】
前記活性種生成部（４２）は、放電電極（４２３）と対向電極（４２２）とを有しており、
前記エアフィルタ（４３）は、前記放電電極（４２３）および前記対向電極（４２２）の少なくとも一方に隣接して配置される、
請求項１から４のいずれか１項に記載の空気清浄ユニット（４０）。
【請求項６】
前記活性種生成部（４２）は、ストリーマ放電器（４２３）である、
請求項１から５のいずれか１項に記載の空気清浄ユニット（４０）。
【請求項７】
請求項１から６のいずれか１項に記載の空気清浄ユニット（４０）と、
前記空気清浄ユニット（４０）の前記活性種生成部（４２）側から前記エアフィルタ（４３）側への空気の流れを形成する送風部（３０，３１，５２）と、
を備えた空気調和機（１，１００）。
【発明の詳細な説明】
【技術分野】
【０００１】
本発明は、エアフィルタを備えた空気清浄ユニットおよびこれを備えた空気調和機に関する。
【背景技術】
【０００２】
近年、空気に浮遊する臭気、塵埃、菌、およびウィルスなどを除去処理する空気清浄機が普及している。
このような空気清浄機の中には、オゾンを利用して臭気分子、塵埃、菌、およびウィルスなどを分解、死滅、あるいは不活化するものまで存在する。通常、オゾンは、オゾン発生器によって生じ、近傍に存在する臭気分子、菌、およびウィルスなどを分解、死滅、あるいは不活化する。このため、屋内の空気だけではなく空気清浄機の内部も清潔に保たれ、二次感染などが発生するおそれを低減することができる。
【０００３】
例えば、特許文献１には、プレフィルタ、プラズマイオン化部、静電フィルタ、酸化チタンフィルタ、光触媒フィルタ、インバータランプ等をフィルタ類として備えた空気清浄機が開示されている。この空気清浄機によれば、比較的大きい塵や埃をプレフィルタで捕集した後、プラズマイオン化部を通過して帯電した煙や埃等を静電フィルタで吸着させる。そして、インバータランプから光触媒フィルタに紫外線を照射して光触媒を活性化させ、光触媒フィルタを通過する空気を光触媒作用によって浄化することができる。
【特許文献１】特開２００４−６０９４７号公報（平成１６年２月２６日公開）
【発明の開示】
【発明が解決しようとする課題】
【０００４】
しかしながら、上記従来の空気清浄機では、以下に示すような問題点を有している。
すなわち、上記公報に開示された空気清浄機では、光触媒フィルタに担持された光触媒を活性化させるためのインバータランプ（光源）が必要となり、構成が複雑化するという問題がある。さらに、このインバータランプからの紫外線を均等に光触媒に照射するためには、光触媒を担持しているフィルタとして平面状のフィルタを用いなくてはならない。このため、捕集効率が高く圧損の小さいプリーツ状のフィルタを採用することは困難であった。
【０００５】
本発明の課題は、構成を簡易化できるとともに、プリーツ状のフィルタを用いた場合でもフィルタに担持された光触媒を効果的に活性化させることが可能な空気清浄ユニットおよびこれを備えた空気調和機を提供することにある。
【課題を解決するための手段】
【０００６】
第１の発明に係る空気清浄ユニットは、プリーツ状のエアフィルタと、活性種生成部とを備えている。プリーツ状のエアフィルタは、空気中に浮遊する塵埃、臭気分子、ウィルスおよび菌のうち少なくとも１つを吸着する。活性種生成部は、塵埃等のうち少なくとも１つを分解、死滅、または不活化する活性種を生成する。
ここでは、プリーツ状のエアフィルタと活性種生成部とを備え、エアフィルタにおいて捕集した塵埃等を、活性種生成部において生成される活性種によって分解、死滅、または不活化している。
【０００７】
これにより、プリーツ状のエアフィルタを用いることで、平面状のエアフィルタを用いた場合と比較して、集塵面積を拡大して効率よく塵埃等を吸着できるとともに、圧損が低減され、寿命の長いエアフィルタを得ることができる。
第２の発明に係る空気清浄ユニットは、第１の発明の空気清浄ユニットであって、エアフィルタは、塵埃等のうち少なくとも１つを分解、死滅、または不活化する光触媒を担持している。
【０００８】
ここでは、プリーツ状のエアフィルタと活性種生成部とを備え、エアフィルタに担持された光触媒を、活性種生成部において生成される活性種によって活性化させる。
通常、このように光触媒を担持したフィルタ等のエアフィルタでは、光触媒を活性化させるために光を照射する光源が必要となる。そして、プリーツ状のエアフィルタを用いた場合には光源からの光が十分に届かない部分ができてしまうことから、平面状のものを用いる必要があった。
【０００９】
そこで、本発明の空気清浄ユニットによれば、集塵効率の高いプリーツ状のフィルタを使用した場合でも、活性種生成部において生成される活性種を用いてエアフィルタの光触媒を活性化させることができるため、光触媒を活性化させるための光源を不要にして構成を簡略化できる。
第３の発明に係る空気清浄ユニットは、第１または第２の発明の空気清浄ユニットであって、エアフィルタは、アパタイトを有している。
【００１０】
ここでは、エアフィルタがアパタイトを有しているため、臭気分子、菌、およびウィルスなどを強力に吸着することができる。よって、臭気分子、菌、およびウィルスなどを分解、死滅、あるいは不活化する効率を高めることができる。
なお、上記アパタイトとは、化学式Ａｘ（ＢＯｙ）ｚＸａ（Ａは、Ｃａ，Ｃｏ，Ｎｉ，Ｃｕ，Ａｌ，Ｌａ，Ｃｒ，Ｆｅ，Ｍｇなどの各種の金属原子、Ｂは、Ｐ，Ｓなどの原子、Ｘは、水酸基（−ＯＨ）やハロゲン原子（例えば、Ｆ，Ｃｌ）等に相当。）で表される物質であり、代表的なものとしてハイドロキシアパタイト、フルオロアパタイト、およびクロロアパタイト、リン酸三カルシウムおよびリン酸水素カルシウム等がある。これらの中でも、Ｃａ10（ＰＯ4）6（ＯＨ）2で示されるカルシウムハイドロキシアパタイトは、カチオンともアニオンともイオン交換し易いため吸着性に富んでおり、特にタンパク質などの有機物を吸着する能力に優れている。加えて、カルシウムハイドロキシアパタイトは、カビや細菌などを強力に吸着することによって、それらの増殖を阻止ないし抑制し得ることが知られている。
【００１１】
第４の発明に係る空気清浄ユニットは、第３の発明の空気清浄ユニットであって、アパタイトは、光触媒機能を有している。
ここでは、アパタイトが、紫外線だけでなく活性種によってもその光触媒機能が活性化される光触媒機能を有しているため、活性種のみならず、光触媒反応によって生成するヒドロキシラジカルなどの活性種も臭気分子、菌、およびウィルスなどの分解、死滅、あるいは不活化に寄与させることができる。よって、臭気分子、菌、およびウィルスなどを分解、死滅、あるいは不活化する効率をさらに高めることができる。
【００１２】
なお、上記光触媒機能を有するアパタイトとは、例えば、カルシウムヒドロキシアパタイトの一部のカルシウム原子がイオン交換などの手法によってチタン原子に置換されたアパタイト等をいう。また、光触媒機能を有するアパタイトとは、例えば、カルシウムヒドロキシアパタイトの一部のカルシウム原子がイオン交換などの手法によってチタン原子に置換されたアパタイトなどである。
【００１３】
第５の発明に係る空気清浄ユニットは、第１から第４の発明のいずれか１つの空気清浄ユニットであって、活性種生成部は、放電電極と対向電極とを有している。そして、エアフィルタは、放電電極および対向電極の少なくとも一方に隣接して配置される。
ここでは、エアフィルタが、放電電極および対向電極の少なくとも一方に隣接して配置されているため、非常に活性の高い活性種を高濃度でエアフィルタに提供することができる。よって、臭気分子、菌、およびウィルスなどを分解、死滅、あるいは不活化する速度をさらに高めることができる。
【００１４】
第６の発明に係る空気清浄ユニットは、第１から第５の発明のいずれか１つの空気清浄ユニットであって、活性種生成部は、ストリーマ放電器である。
ここでは、活性種生成部としてストリーマ放電器を採用している。
一般的に、ストリーマ放電器は、グロー放電器やバリア放電器などよりも強い放電場を作り出すことができるため、他のプラズマ生成器よりも高エネルギーレベルの活性種を生成することができる。したがって、臭気分子、菌、およびウィルスなどを分解、死滅、あるいは不活化する速度をさらに高めることが可能になる。
【００１５】
なお、上記ストリーマ放電とは、放電端の先端から対向電極まで微小アークが連続することにより、発光を伴ったプラズマ柱として形成されるものである。そして、このストリーマ放電が行われると、放電空間に低温プラズマが発生し、この低温プラズマによって活性種（被処理空気中に含まれる臭気物質や有害物質等の被処理成分に作用する因子）として高速電子、イオン、オゾン、ヒドロキシラジカル等のラジカルや、その他励起分子（励起酸素分子、励起窒素分子、励起水分子等）などが生成される。
【００１６】
第７の発明に係る空気調和機は、第１から第６のいずれか１つに記載の空気清浄ユニットと、空気清浄ユニットの活性種生成部側からエアフィルタ側への空気の流れを形成する送風部と、を備えている。
ここでは、活性種生成部からエアフィルタへの空気の流れを形成する送風機によってプリーツ状のエアフィルタに対して活性種を送り込むことで、エアフィルタに担持された光触媒を活性種によって活性化させる。
【００１７】
通常、このように光触媒を担持したフィルタ等のエアフィルタでは、光触媒を活性化させるために光を照射する光源が必要となる。そして、プリーツ状のエアフィルタを用いた場合には光源からの光が十分に届かない部分ができてしまうことから、平面状のものを用いる必要があった。
そこで、本発明の空気調和機によれば、活性種生成部において生成される活性種を用いてエアフィルタの光触媒を活性化させることができるため、光源を不要にできる。そして、プリーツ状のエアフィルタを用いることが可能になるため、平面状のエアフィルタを用いた場合と比較して、集塵面積を拡大して効率よく塵埃等を吸着できるとともに、圧損が低減され、寿命の長いエアフィルタを得ることができる。
【発明の効果】
【００１８】
第１の発明に係る空気清浄ユニットによれば、集塵面積を拡大して効率よく塵埃等を吸着するとともに、圧損が低減され、寿命の長いエアフィルタを得ることができる。
第２の発明に係る空気清浄ユニットによれば、光触媒を活性化させるための光源を不要にして構成を簡略化できる。
第３の発明に係る空気清浄ユニットによれば、臭気分子、菌、およびウィルスなどを分解、死滅、あるいは不活化する効率を高めることができる。
【００１９】
第４の発明に係る空気清浄ユニットによれば、臭気分子、菌、およびウィルスなどを分解、死滅、あるいは不活化する効率をさらに高めることができる。
第５の発明に係る空気清浄ユニットによれば、臭気分子、菌、およびウィルスなどを分解、死滅、あるいは不活化する速度をさらに高めることができる。
第６の発明に係る空気清浄ユニットによれば、臭気分子、菌、およびウィルスなどを分解、死滅、あるいは不活化する速度をさらに高めることが可能になる。
【００２０】
第７の発明に係る空気調和機によれば、構成を簡易化できるとともに、集塵面積を拡大して効率よく塵埃等を吸着できるとともに、圧損が低減され、寿命の長いエアフィルタを得ることができる。
【発明を実施するための最良の形態】
【００２１】
本発明の一実施形態に係る空気調和機について、図１〜図９を用いて説明すれば以下の通りである。
＜空気清浄機の概略構成＞
本実施形態の空気清浄機（空気調和機）１は、図１および図２に示すように、室内の空気を清浄に保ち室内の快適性を向上させるために、室内の床に設置される。空気清浄機１は、本体ケーシング１１と、本体ケーシング１１の正面側に設けられる正面パネル２１とを備えている（図１参照）。
【００２２】
＜本体ケーシング１１＞
本体ケーシング１１は、吹き出し口１２と、上面吸い込み口１３と、側面吸い込み口１４とを有している（図１参照）。吹き出し口１２は、本体ケーシング１１の上面部１１ａの背面側端部に設けられる。吹き出し口１２は、清浄後の空気を空気清浄機１から上方に向かって吹き出すための開口である。上面吸い込み口１３と側面吸い込み口１４とは、空気清浄機１内において室内空気を清浄するために、室内空気を空気清浄機１内に吸い込むための略矩形の開口である。上面吸い込み口１３は、吹き出し口１２が設けられる面と同じ本体ケーシング１１の上面部１１ａの正面側端部に設けられる。上面吸い込み口１３の横方向の長さは、正面パネル２１の横方向の長さと略同一である。側面吸い込み口１４は、本体ケーシング１１の左右の側面部１１ｂの正面側にそれぞれ設けられる一対の開口である。側面吸い込み口１４の縦方向の長さは、正面パネル２１の縦方向の長さと略同一である。
【００２３】
＜正面パネル２１＞
正面パネル２１は、本体ケーシング１１の前方に設けられており、本体ケーシング１１の内部に設置される空気中に含まれる微粒子を除去するための空気清浄ユニット４０等を覆っている。この正面パネル２１は、正面吸い込み口（吸気口）２２を有する。正面吸い込み口２２は、正面パネル２１の略中央部に設けられており、室内空気を空気清浄機内に吸い込むための開口である。また、正面パネル２１には、後述する表示パネルが外部から目視できるように表示パネル開口２３ａ，２３ｂ，２３ｃが設けられている。表示パネル開口２３ｂは、正面吸い込み口２２と一体的に形成されている。さらに、正面パネル２１には、超音波発生装置から発生される超音波を室内の広い範囲に送るための超音波開口２４が設けられている。
【００２４】
また、この正面パネル２１の高さは、空気清浄機１の奥行きより長い構成となっている。
＜本体ケーシング１１内の構成＞
本体ケーシング１１内には、ファンモータ（送風部）３０と、ファンモータ３０によって回転駆動される送風ファン（送風部）３１とが設けられている（図３参照）。ファンモータ３０としては、インバータ回路により周波数制御されるインバータモータを採用している。送風ファン３１としては、遠心ファンを採用している。このため、送風ファン３１は、回転軸方向（第１空間側）から空気を吸い込み、回転中心から半径方向外側（第２空間側）に向かって空気を吹き出す。
【００２５】
また、空気清浄機１は、後述する空気清浄ユニット４０が取り付けられるスペースの奥側（空気流路における下流側）に、第１仕切り板５１を有している（図９参照）。第１仕切り板５１は、送風ファン３１の上流側の第１空間と、送風ファン３１の下流側の第２空間とを仕切っている。送風ファン３１の上流側の第１空間には、空気清浄ユニット４０が収納される。送風ファン３１の下流側の第２空間には、ファンモータ３０、送風ファン３１および送風ファン３１の側面（送風ファンの回転軸を中心とする円周方向）に沿って形成されたスクロール５２が収納されている。そして、送風ファン３１から吹き出される空気が、スクロール５２に沿って吹き出し口１２から室内へ送り出される。
【００２６】
＜空気清浄ユニット４０＞
空気清浄機１は、本体ケーシング１１の内方に、図３に示すように、各吸い込み口（上面吸い込み口１３、側面吸い込み口１４、正面吸い込み口２２）から吸い込んだ室内空気中に含まれる異物を除去するための空気清浄ユニット４０を備えている。
空気清浄ユニット４０は、プレフィルタ４１、放電部（活性種生成部）４２、光触媒フィルタ（プリーツ状のエアフィルタ）４３およびプラズマ触媒フィルタ４４を備えている。
【００２７】
〔プレフィルタ４１〕
プレフィルタ４１は、空気流における最も上流側に配置されており、比較的大きなホコリや塵を除去する。プレフィルタ４１は、図５に示すように、ネット４１０とネット４１０を保持するフレーム４１１とから構成されている。ネット４１０は、ポリプロピレン（以下、ＰＰという）製の糸状の樹脂網であって、本体ケーシング１１内に吸い込まれる空気に含まれる比較的大きな塵埃などが付着する。また、ネット４１０を構成する繊維は、図６に示すように、ＰＰによって構成される芯４１０ａと同じくＰＰによって構成される被覆層４１４とからなる。被覆層４１４には、可視光線型の光触媒４１２とカテキン４１３とが空気側に露出するように担持されている。可視光線型の光触媒４１２は、可視光線により光触媒作用が活性化される酸化チタンなどを含んでおり、ネット４１０に付着する塵埃などに含まれるカビ菌や細菌などの菌やウィルスを除去する。カテキン４１３は、ポリフェノールの一種であって、エピカテキン、エピガロカテキン、エピカテキンガレート、エピガロカテキンガレートなどの総称である。このカテキン４１３は、ネット４１０に付着する塵埃などに含まれるカビ菌や細菌などの菌の繁殖を抑制したりウィルスを不活化したりする。
【００２８】
〔放電部４２〕
放電部４２は、主に、対向電極４２２、イオン化線４２１、およびストリーマ放電電極４２３から構成されている。対向電極４２２は、方形波形状の断面を有する金属板であって、実質的に電極として機能する実電極部４２２ａと複数のスリット部４２２ｂとから成る。なお、スリット部４２２ｂは、空気を後方側に流す役割を果たす（図４（ａ）の白抜き矢印参照）。イオン化線４２１は、対向電極４２２の空気流れ方向（図４（ａ）の白抜き矢印参照）上流側に配置される。なお、このとき、イオン化線４２１は、実電極部４２２ａ間に１つずつ配置される。また、このイオン化線４２１は、微小径のタングステン線材などによって形成され、放電電極として用いられる。ストリーマ放電電極４２３は、電極保持部４２３ａと電極部４２３ｂとを有し、電極部４２３ｂは、電極保持部４２３ａに対して樹脂を挟んで固定されている。そして、このストリーマ放電電極４２３は、図４（ｃ）に示されるように、対向電極４２２の空気流れ方向（図４（ｃ）の白抜き矢印参照）下流側に配置される。
【００２９】
なお、これらの電極４２１，４２２，４２３のうち、対向電極４２２とイオン化線４２１とは、プレフィルタ４１を通過した空気中に浮遊している比較的小さな塵埃を耐電させる役割を担う。一方、対向電極４２２とストリーマ放電電極４２３とは、後述するチタンアパタイト担持フィルタ４３１に供給する活性種を生成する役割を担う。以下、それぞれの電極の組合せについて詳述する。
【００３０】
（対向電極とイオン化線）
この放電部４２において、イオン化線４２１と実電極部４２２ａとの間に高電圧が印加されると、両電極４２１，４２２間に放電が生じる。この結果、両電極４２１，４２２間を通過する塵埃などがプラス電荷に帯電される。そして、帯電された塵埃は、スリット部４２２ｂを介して後方に供給され、後述する光触媒フィルタ４３の静電フィルタ４３０によって静電吸着される。また、この際、塵埃に含まれるウィルスや菌なども帯電されるため、後述するチタンアパタイトへのウィルスや菌の吸着効率が高まる。
【００３１】
（対向電極とストリーマ放電電極）
この放電部４２において、ストリーマ放電電極４２３と対向電極４２２との間に直流、交流、またはパルスの放電電圧が印加されると、両電極４２２，４２３間にストリーマ放電が生じる。このようにして、ストリーマ放電が生じると、放電場に低温プラズマが生成する。そして、この低温プラズマにより、高速電子、イオン、オゾン、ヒドロキシラジカルなどのラジカル種や、その他の励起分子（励起酸素分子、励起窒素分子、励起水分子）などが生成される。そして、これらの活性種は、空気流れに乗って、後述する光触媒フィルタ４３のチタンアパタイト担持フィルタ４３１に供給される。
【００３２】
なお、これらの活性種は、非常にエネルギーレベルが高く、チタンアパタイト担持フィルタ４３１に到達する前であっても、空気に含まれるアンモニア類や、アルデヒド類、窒素酸化物など小さな有機分子を分解・消臭する能力を有する。
〔光触媒フィルタ４３〕
光触媒フィルタ４３は、プリーツ状に形成されており、図７に示すように、静電フィルタ４３０およびチタンアパタイト担持フィルタ４３１を張り合わせて形成されている。なお、この光触媒フィルタ４３は、静電フィルタ４３０が送風ファン３１による空気流れの上流側に、チタンアパタイト担持フィルタ４３１が空気流れの下流側に面するように配置される。静電フィルタ４３０は、放電部４２を通過する際に帯電させられた塵埃などを吸着する。チタンアパタイト担持フィルタ４３１は、静電フィルタ４３０を通過する塵埃などを吸着する。なお、このチタンアパタイト担持フィルタ４３１は、プレフィルタ４１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、放電部４２から供給される活性種により光触媒機能が活性化され、ウィルスやカビ菌、細菌などを不活化または死滅させる。
【００３３】
また、この光触媒フィルタ４３は、図８（ａ）に示すように、プリーツ状に形成されているため、図８（ｂ）に示すように、折り目に合わせて容易に折り畳むことが可能である。このため、光触媒フィルタ４３は、折り畳んだ状態で、第１仕切り板５１の下方に形成された交換用フィルタ収納部Ａに収納される（図９参照）。
なお、この交換用フィルタ収納部Ａは、図９に示すように、第１仕切り板５１に対して垂直な方向に立設された第２仕切り板５３を上面とし、下面と側面とを本体ケーシング１１の下面と側面とする収納空間であって、図８（ｂ）に示す交換用の光触媒フィルタ４３を１本ずつパッキングされた状態で６本収納する。
【００３４】
〔プラズマ触媒フィルタ４４〕
プラズマ触媒フィルタ４４には、アナターゼ型の二酸化チタンが担持されている。プラズマ触媒フィルタ４４では、光触媒フィルタ４３に吸着されなかった空気中のウィルスや菌などを吸着する。このプラズマ触媒フィルタ４４では、吸着された菌やウィルスなどが活性種により活性化された二酸化チタンによって死滅あるいは不活化される。
【００３５】
［空気清浄ユニットの特徴］
（１）
本実施形態の空気清浄ユニット４０は、プレフィルタ４１、活性種を生成する放電部４２、プリーツ状の光触媒フィルタ４３およびプラズマ触媒フィルタ４４を備えている。
通常、光触媒フィルタを搭載した空気清浄機では、光触媒を活性化させるための光源を必要とする。このため、光源からの光を効果的に光触媒に照射するために、光触媒フィルタとしては平面的なフィルタが採用されていた。しかし、このような平面的なフィルタでは、集塵面積が狭く、圧力損失も大きいという欠点があった。
【００３６】
そこで、本実施形態の空気清浄ユニット４０では、光触媒フィルタ４３として、平面的なフィルタではなくプリーツ式のフィルタを用いている。
これにより、平面状のフィルタと比較して、集塵面積が広く、フィルタにおける圧損が小さい空気清浄ユニットを得ることができる。この結果、空気中の塵や埃等を効率よく捕集して寿命の長い光触媒フィルタを有する空気清浄ユニットを提供することが可能になる。
【００３７】
さらに、本実施形態の空気清浄ユニット４０は、光触媒の活性化手段として、光源ではなく活性種生成部を用いている。
これにより、活性種によって光触媒を活性化させることができるため、光源を構成要素から削除して、構成の簡略化が図れる。
（２）
本実施形態の空気清浄ユニット４０では、光触媒フィルタ４３が、チタンアパタイト担持フィルタ４３１を有している。
【００３８】
これにより、フィルタを通過する空気中に含まれる臭気分子、菌、ウィルス等をより強力に吸着して、より効果的に臭気分子等を不活化させることができる。
（３）
本実施形態の空気清浄ユニット４０では、光触媒フィルタ４３を構成するチタンアパタイト担持フィルタ４３１が光触媒機能を有している。
【００３９】
これにより、放電部４２から供給される活性種により光触媒機能を活性化させて、ウィルスやカビ菌、細菌などを不活化または死滅させることができる。
（４）
本実施形態の空気清浄ユニット４０では、放電部４２が、対向電極４２２と、ストリーマ放電電極４２３とを備えている。そして、光触媒フィルタ４３が、放電部４２の下流側であって、対向電極４２２に隣接して配置される。
【００４０】
これにより、放電部４２において生成される活性種を、高濃度かつ活性が高い状態で光触媒フィルタ４３へ供給することができる。よって、空気清浄機１内を通過する空気中に含まれる臭気分子、菌、ウィルス等を効率的に不活化させることができる。
（５）
本実施形態の空気清浄ユニット４０では、放電部４２が、ストリーマ放電電極４２３を有している。
【００４１】
これにより、例えば、グロー放電器やバリア放電器等の他のプラズマ生成器と比較して強い放電場を形成するストリーマ放電を起こさせることで、エネルギーレベルの高い活性種を生成することができる。よって、臭気分子や菌等を効率よく分解、死滅、不活化させることができる。
（６）
本実施形態の空気清浄機１は、上述した空気清浄ユニット４０と、ファンモータ３０、送風ファン３１、スクロール５２から構成される送風部と、を備えている。
【００４２】
これにより、活性種によって光触媒を活性化させることができるため、光源を構成要素から削除して、構成を簡略化した空気清浄機を提供できる。また、プリーツ状のフィルタを用いることができるため、平面状のフィルタと比較して、集塵面積が広く、フィルタにおける圧損が小さい空気清浄機を提供することができる。この結果、空気中の塵や埃等を効率よく捕集して寿命の長い光触媒フィルタを有する空気清浄機を提供することが可能になる。
【００４３】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、放電部４２の空気流れ方向下流側に光触媒フィルタ４３を配置した例を挙げて説明した。しかし、本発明はこれに限定されるものではない。
【００４４】
例えば、光触媒フィルタ４３を、対向電極４２２とストリーマ放電電極との間に配置してもよい。さらに、光触媒フィルタ４３は、対向電極４２２に隣接するように配置してもよい。
（Ｂ）
上記実施形態では、放電部４２の空気流れ方向下流側に光触媒フィルタ４３を配置した例を挙げて説明した。しかし、本発明はこれに限定されるものではない。
【００４５】
例えば、対向電極４２２のストリーマ放電電極４２３と対向する面にチタンアパタイトをコーティングなどしてもよい。活性種の中には非常に寿命が短いものも存在し、活性が高い活性種ほどその傾向が高いため、非常に活性の高い活性種を高濃度でチタンアパタイトに供給することができる。この結果、臭気分子、菌、およびウィルスなどを分解、死滅、あるいは不活化する速度をさらに高めることができる。
【００４６】
（Ｃ）
上記実施形態では、ストリーマ放電を利用して活性種を生成した例を挙げて説明した。しかし、本発明はこれに限定されるものではない。
例えば、グロー放電やバリア放電などを利用して活性種を生成してもよい。
なお、グロー放電を利用する場合は、放電電極にチタンアパタイトをコーティングしてもよい。また、バリア放電を利用する場合は、放電場領域の絶縁材にチタンアパタイトをコーティングしてもよい。
【００４７】
（Ｄ）
上記実施形態では、光触媒フィルタ４３にチタンアパタイトが担持された例を挙げて説明した。しかし、本発明はこれに限定されるものではない。
例えば、チタンアパタイトと、従来の光半導体触媒との混合物が光触媒フィルタ４３に担持されてもよい。なお、上記従来の光半導体触媒とは、例えば、二酸化チタン、チタン酸ストロンチウム、酸化亜鉛、酸化タングステン、および酸化鉄などに代表される金属酸化物、Ｃ60などのフラーレンに代表される炭素系の光半導体触媒、遷移金属からなるナイトライド、オキシナイトライドなどである。
【００４８】
（Ｅ）
上記実施形態では、光触媒フィルタ４３にチタンアパタイトが担持された例を挙げて説明した。しかし、本発明はこれに限定されるものではない。
例えば、アパタイトが光触媒フィルタ４３に担持されてもよい。
なお、上記アパタイトとは、例えば、ハイドロキシアパタイト、フルオロアパタイト、およびクロロアパタイト、ならびにリン酸三カルシウムおよびリン酸水素カルシウムなどである。
【００４９】
（Ｆ）
上記実施形態では、光触媒フィルタ４３にチタンアパタイトが担持された例を挙げて説明した。しかし、本発明はこれに限定されるものではない。
例えば、従来の光半導体触媒とアパタイトとの混合物が光触媒フィルタ４３に担持された構成であってもよい。
【００５０】
（Ｇ）
上記実施形態では、光触媒フィルタ４３を形成する繊維の被覆層にチタンアパタイトが担持された例を挙げて説明した。しかし、本発明はこれに限定されるものではない。
例えば、光触媒フィルタ４３の空気流れ下流側の表面にチタンアパタイトが担持あるいはコーティングされてもよい。
【００５１】
（Ｈ）
上記実施形態では、本発明を空気清浄機１に適用した例を挙げて説明した。しかし、本発明はこれに限定されるものではない。
例えば、図１０に示すような冷暖房を行う空気調和機１００に本発明を適用してもよい。
【００５２】
この空気調和機１００は、調和された空気を室内に供給するための装置であって、室内の壁面などに取り付けられる室内機１０１と、室外に設置される室外機１０２とを備えている。室内機１０１には、室内の空気を空気調和機１００内に取り込むための吸い込み口１０５が設けられており、この吸い込み口１０５の内側にフィルタユニット（図示せず）が装備される。このフィルタユニットに対して本発明を適用した場合にも、空気中の塵や埃等を効率よく捕集して寿命の長い光触媒フィルタを有する空気調和機を提供することが可能になる。
【産業上の利用可能性】
【００５３】
本発明の空気清浄ユニットおよび空気清浄機は、構成を簡略化できるとともに、集塵面積が広く、圧損の小さいプリーツ状のエアフィルタを用いることができるという効果を奏することから、空気清浄機以外の空気調和機等の各種機器に対して広く適用可能である。
【図面の簡単な説明】
【００５４】
【図１】本発明の一実施の形態に係る空気清浄機の外観斜視図。
【図２】図１の空気清浄機の正面図。
【図３】図１の空気清浄機が内蔵している空気清浄ユニットの分解斜視図。
【図４】（ａ）〜（ｃ）は、放電部を構成する各部を示す斜視図。
【図５】プレフィルタの詳細図。
【図６】プレフィルタのネット部分を構成する繊維の断面拡大図。
【図７】光触媒フィルタの側断面図の一部。
【図８】（ａ）は光触媒フィルタを示す斜視図、（ｂ）は交換用の光触媒フィルタを折り畳んだ状態を示す図。
【図９】空気清浄ユニットを取り外した状態の空気清浄機の内部構成を示す正面図。
【図１０】本発明の他の実施形態に係る空気調和機を示す図。
【符号の説明】
【００５５】
１        空気清浄機（空気調和機）
１１        本体ケーシング
１２        吹き出し口
１３        上面吸い込み口
１４        側面吸い込み口
２１        正面パネル
２２        正面吸い込み口
３０        ファンモータ（送風部）
３１        送風ファン（送風部）
４０        空気清浄ユニット
４１        プレフィルタ
４１０      ネット
４１０ａ    芯
４１１      フレーム
４１２      光触媒
４１３      カテキン
４１４      被覆層
４２        放電部（活性種生成部）
４２１      イオン化線
４２２      対向電極
４２２ａ    実電極部
４２２ｂ    スリット部
４２３      ストリーマ放電電極（放電電極、ストリーマ放電器）
４２３ａ    電極保持部
４２３ｂ    電極部
４３        光触媒フィルタ（プリーツ状のエアフィルタ）
４３０      静電フィルタ
４３１      チタンアパタイト担持フィルタ
４４        プラズマ触媒フィルタ
５１        第１仕切り板
５２        スクロール（送風部）
５３        第２仕切り板
１００      空気調和機
Ａ          交換用フィルタ収納部
【図１】
2006017360.tif 000003
【図２】
2006017360.tif 000004
【図３】
2006017360.tif 000005
【図４】
2006017360.tif 000006
【図５】
2006017360.tif 000007
【図６】
2006017360.tif 000008
【図７】
2006017360.tif 000009
【図８】
2006017360.tif 000010
【図９】
2006017360.tif 000011
【図１０】
2006017360.tif 000012